(57)【特許請求の範囲】
【請求項１】
角スタッド材と、ロッドバーを着脱自在に保持する溝部を有するレールと、前記角スタッド材に前記レールを取り付けるレールホルダーとを備え、
前記レールは、ベース片と、このベース片から上下にそれぞれ離れて連接された支持台座と、支持台座に設けられた溝部とを有し、
前記レールホルダーは、角スタッド材に対応した側面側プレートと、正面側プレートと背面側折り返し部２４とを有し、側面側プレートは正面側プレートより前方に延びた延伸部が設けられ、前記ベース片の上端部又は下端部が嵌り込む切り欠き部が形成され、
前記ベース片の上端部と下端部がレールホルダーの切り欠き部に嵌め込まれ、一対のレールホルダーを介してレールが角スタッド材に取り付けられることを特徴とするレール支持装置。
【請求項２】
前記レールホルダーの側面側プレートと正面側プレートとは、コ字状に形成され、前記側面側プレートの一端部が内側に直交方向に折り曲げられ、前記背面側折り返し部が形成されていることを特徴とする請求項１に記載のレール支持装置。
【請求項３】
前記レールホルダーの側面側プレートと正面側プレートには、前記角スタッド材にビスでレールホルダーを取り付ける際のビス穴が設けられていることを特徴とする請求項１又は請求項２に記載のレール支持装置。
【発明の詳細な説明】
【技術分野】
【０００１】
この発明は、レール支持装置に係り、特に、商品陳列用のロッドバーなどが装着されるレールを店舗の壁面等に敷設された角スタッド材に取り付けるレールホルダーを用いたレール支持装置に関するものである。
【背景技術】
【０００２】
室内壁面等の被取付面に複数の壁面部材を上下方向に列設し、これらの壁面部材間に商品陳列用のハンガーを掛けるロッドバーを着脱自在に保持させるための長溝を形成する取付部材を設けて，室内壁面を構成して、商品を陳列するようにした商品陳列用の壁面構造が知られている（例えば、特許文献１参照。)
【０００３】
ところで、被取付面に列設される壁面部材として角スタッド材が用いられる。この角スタッド材に、長溝が形成された取付部材としてのレールがビスを用いて固定されている。
【０００４】
上記長溝にロッドバーを取付、このロッドバーにハンガーを掛けて商品を陳列する場合、ロッドバーに商品等の荷重がかかり、レールの下側に応力が集中し、角スタッド材にレールがくい込みロッドバーが前に垂れる虞があった。また、レールの上側は、レールを角スタッド材から離す方向に力が加わることになり、最悪の場合ビスが抜けるなどの虞もあった。
【先行技術文献】
【特許文献】
【０００５】
【特許文献１】特公昭６１−１０１２２号
【発明の概要】
【発明が解決しようとする課題】
【０００６】
この発明の目的は、壁面部材として用いる角スタッド材にくい込みなどをなくして取り付けることにある。
【課題を解決するための手段】
【０００７】
この発明のレール支持装置は、角スタッド材と、ロッドバーを着脱自在に保持する溝部を有するレールと、前記角スタッド材に前記レールを取り付けるレールホルダーとを備え、前記レールは、ベース片と、このベース片から上下にそれぞれ離れて連接された支持台座と、支持台座に設けられた溝部とを有し、前記レールホルダーは、角スタッド材に対応した側面側プレートと、正面側プレートと背面側折り返し部２４とを有し、側面側プレートは正面側プレートより前方に延びた延伸部が設けられ、前記ベース片の上端部又は下端部が嵌り込む切り欠き部が形成され、  前記ベース片の上端部と下端部がレールホルダーの切り欠き部に嵌め込まれ、一対のレールホルダーを介してレールが角スタッド材に取り付けられることを特徴とする。
【０００８】
また、前記レールホルダーの側面側プレートと正面側プレートとは、コ字状に形成され、前記側面側プレートの一端部が内側に直交方向に折り曲げられ、前記背面側折り返し部が形成されているように構成すればよい。
【０００９】
また、前記レールホルダーの側面側プレートと正面側プレートには、前記角スタッド材にビスでレールホルダーを取り付ける際のビス穴を設ければよい。
【発明の効果】
【００１０】
この発明によれば、一対のレールホルダーでレールを挟み込み、角スタッド材に取り付けるので、取り付け強度が格段に向上する。また、側面側プレートと、正面側プレートと背面側折り返し部で角スタッド材を取り囲むようにして取り付けられるので、面での保持になり、角スタッド材へのめり込みが軽減されるとともに、角スタッド材のねじれや撓みを矯正することができる。
【図面の簡単な説明】
【００１１】
【図１】この発明のレールホルダーを用いてレールを角スタッドに取り付ける状態を示した斜視図である。
【図２】この発明のレールホルダーを角スタッドに取り付ける状態を示した斜視図である。
【図３】この発明のレールホルダーを用いてレールを角スタッドに取り付ける状態を示した斜視図である。
【図４】この発明のレールホルダーを用いてレールを角スタッドに取り付けた状態を示した斜視図である。
【図５】この発明のレールホルダーを用いてレールを角スタッドに取り付けた状態を示した斜視図である。
【図６】この発明のレールホルダーを示す斜視図である。
【図７】この発明のレールホルダーを示す側面図である。
【図８】この発明に用いられるレールを示す斜視図である。
【図９】この発明に用いられるレールを示す正面図である。
【図１０】この発明に用いられるレールを示す側面図である。
【図１１】この発明のレールホルダーを用いてレールを角スタッドに取り付け、レールに化粧壁面を取り付けた状態を示す側面図である。
【図１２】この発明に用いられるロッドバーを示す斜視図である。
【図１３】この発明に用いられるロッドバーを示す上面図である。
【図１４】この発明に用いられるロッドバーを示す底面図である。
【図１５】この発明に用いられるレールにロッドバーを取り付けた状態を示す斜視図である。
【図１６】この発明に用いられるレールにロッドバーを取り付けた状態を示す斜視図である。
【図１７】この発明に用いられるレールにロッドバーを取り付けた状態を示す拡大説明図である。
【図１８】この発明に用いられるレールにロッドバーを取り付けた状態を示す斜視図である。
【図１９】この発明を店舗用陳列棚に用いた状態を示す斜視図である。
【図２０】この発明を店舗用壁面に用いた状態を示す斜視図である。
【発明を実施するための形態】
【００１２】
この発明の実施の形態について図面を参照しながら詳細に説明する。なお、図中同一または相当部分には同一符号を付し、説明の重複を避けるためにその説明は繰返さない。
【００１３】
図１〜図５に示すように、この実施形態のロッドバー８を取り付けるレール１は、全体として鋼材やアルミ材などの押し出し成形により得られ、室内壁面等の被取付面、例えば、軽鉄下地材、亜鉛メッキ鋼板などからなる角スタッド材３の前面に水平配置され、この発明のレールホルダー２を用いて、角スタッド材３に取り付けられる。
【００１４】
室内壁面等の被取付面に、壁面部材としての複数の角スタッド材３が所定間隔で列設されている。従来、角スタッド材３に、レール１がビスを用いて直接固定されていたが、上述したように、ロッドバー８にハンガーに商品を掛けて陳列する場合、ロッドバー８に商品等の荷重がかかると、レール１の下側に応力が集中し、角スタッド材３にレール１がくい込み、ロッドバー８が前に垂れるなどの問題があった。そこで、この発明では、レールホルダー２を用いて、レール１を角スタッド材３に固定し、くい込み等を防ぐものである。
【００１５】
まず、この発明に用いられるレール１について図８〜図１０を参照して説明する。レール１は、ベース片１１と、このベース片１１から上下にそれぞれ離れて化粧板固定部としての支持台座１２ａ、１２ｂが連接して設けられている。支持台座１２ａの端部には、化粧板が当接する縦壁１２ｅがベース片１１と平行に立ち上がって形成されている。また、支持台座１２ｂの端部には、化粧板が当接する縦壁１２ｆがベース片１１と平行に立ち下がって形成されている。
【００１６】
支持台座１２ａ、１２ｂ間は所定の間隔を有する溝部１４が形成され、この溝部１４にロッドバー８が嵌め込まれ、レール１にロッドバー８が取り付けられる。縦壁１２ｅに連接して、上側に開口するエンドプレートのビス固定溝穴１５ａが設けられている。このビス固定溝穴１５ａは、エンドプレート４を固定する際に用いるともに、複数のレール、図１においては、レール１にレール１ａを連結する際のプレート５が挿入される。
【００１７】
縦壁１２ｆに連接して、正面側に開口するエンドプレートのビス固定溝穴１５ｂが設けられている。このビス固定溝穴１５ｂは、エンドプレート４を固定する際に用いるともに、レール１にレール１ａを連結する際のプレート５が挿入される。このビス固定溝穴１５ａ、１５ｂにプレート５を挿入することで、図１に示すように、レール１ａとレール１を仮止めすることができ、角スタッド材３への取付作業が容易に行える。
【００１８】
図１０に示すように、溝部１４は、下方向にテーパー状に形成され、最深部には、上部にロッドバー８の係合部８２が嵌まり込む凹溝１３が設けられるとともに、下端部にロッドバー８の脱着時の逃げ部となる凹溝１６が設けられている。
【００１９】
ベース片１１の上端部１１ａ、下端部１１ｂが後述するように、レールホルダー２の切り欠き部２３に嵌まり込み、固定される。
【００２０】
次に、レールホルダー２につき、図６および図７を参照して説明する。レールホルダー２は、亜鉛メッキ鋼板などで形成され、角スタッド材３に対応した側面側プレート２１と、正面側プレート２２と背面側折り返し部２４とを有する。側面側プレート２１と正面側プレート２２とは、コ字状に形成され、側面側プレート２１の一端部が内側に直交方向に折り曲げられ、背面側折り返し部２４が形成されている。側面側プレート２１と、正面側プレート２２と背面側折り返し部２４とで、角スタッド材３を挟み込むように構成されている。
【００２１】
側面側プレート２１は正面側プレート２２より前方に延びた延伸部２１ａが設けられ、この延伸部２１ａには、正面側プレート２２の前方側に正面側プレート２２に接するように、ベース片１１の上端部１１ａ又は下端部１１ｂが嵌り込む切り欠き部２３が形成されている。
【００２２】
正面側プレート２２と背面側折り返し部２４との間の長さは角スタッド材３の奥行長さより少し長く、例えば、２ｍｍほど長くしている。また、側面側プレート２１間の長さは、角スタッド材３の正面側の幅より少し長く、例えば、２ｍｍほど長くしている。そして、側面側プレート２１と正面側プレート２２には、角スタッド材３にビスでレールホルダー２を取り付ける際のビス穴２５が設けられている。この実施形態では、それぞれの面に１個ずつのビス穴２５が設けられ、合計３個のビス６で角スタッド材３にレールホルダー２が取り付けられる。
【００２３】
従来、上下それぞれ１個のビスでレール１を角スタッド材３に取り付けていたのに対し、このレールホルダー２では、３個のビス６で角スタッド材３に取り付けるので、レール１に対しては、上下６個のビス６で保持することになり、取り付け強度が格段に向上する。また、側面側プレート２１と、正面側プレート２２と背面側折り返し部２４で角スタッド材３を取り囲むようにして取り付けられるので、面での保持になり、角スタッド材３へのめり込みが軽減されるとともに、角スタッド材３のねじれや撓みを矯正する効果もある。
【００２４】
次に、レールホルダー２を用いて角スタッド材３にレール１を取り付ける方法につき図１〜図５を参照して説明する。
【００２５】
まず、図１および図２に示すように、レール１を角スタッド材３に取り付ける箇所のレール１の下位置にレールホルダー２を位置決めする。レールホルダー２は、切り欠き部２３が上向きの状態でビス６を用いて角スタッド材３に取り付ける。複数のレール１を取り付ける場合には、レール１をレールホルダー２に取り付ける前に、プレート５を用いて連結してレール１間を仮止めする。
【００２６】
続いて、図３に示すように、レール１のベース片１１の下端部１１ｂをレールホルダー２の切り欠き部２３に嵌め込む。そして、図４に示すように、ベース片１１の上端部１１ａに、切り欠き部２３を下向きにした状態でレールホルダー２を嵌め込み、ビス６を用いたタッピング止めでレールホルダー２を角スタッド材３に取り付ける。このようにして、ベース片１１の上端部１１ａと下端部１１ｂがレールホルダー２の切り欠き部２３に嵌め込まれ、一対のレールホルダー２を介してレール１が角スタッド材３に取り付けられる。尚、図示はしないがレール１本につき１〜２箇所角スタッド材３にタッピング止めして、レールの横ずれを防止すればよい。
【００２７】
最端部のレール１には、レール１のビス固定溝穴１５ａ、１５ｂに、ビス６を通して、エンドプレート４を固定する。このエンドプレート４により、外部からレール１の溝内を見えなくして、化粧板７ｂを配置した際に見栄えをよくしている。
【００２８】
図１１に示すように、レール１の支持台座１２ａ、１２ｂに化粧板７ｂを当接させ、ビス６ｂにより化粧板７ｂを取り付ける。この例では、角スタッド材３にスペーサ部材７が取り付けられ、このスペーサ部材７にビス６ｂを用いて化粧板７ｂを固定している。このようにして、商品陳列用の壁面が形成される。
【００２９】
次に、レール１の溝部１４に挿入され、装着されるロッドバー８につき、図１２〜図１４を参照して説明する。ロッドバー８は、パイプ８３にエンドピース８０が嵌め込まれ、ビス８３ａにより、エンドピース８０が固定されている。この実施形態では、パイプ８３の先端に突出ピン８４が設けられているが、棚板を載せる場合には、突出ピン８４を設けていないパイプ８３を用いる。
【００３０】
エンドピース８０は、上面側に平坦部を有する軸部８０ｂを有し、その平坦部の先端部にレール１の凹溝１３に係合する係合部８２が設けられている。また、エンドピース８０の軸部８０ｂと直交する方向に延びるピン部８１が設けられている。このピン部８１がレール１のベース片１１に当接してロッドバー８の振れを防止している。
【００３１】
図１５〜図１７に示すように、エンドピース８０の係合部８２が設けられている面とは逆の面は、先端部に向かってだんだんと細くなるように複数の段部が設けられている。複数の段部の代わりに、先端部に向かってテーパー状に形成してもよい。先端部に向かってだんだんと細くなるように形成することにより、ロッドバー８の脱着を行う。すなわち、ロッドバー８を溝部１４内に挿入する際には、溝内のテーパーに沿って、この段部を添わせて、上方向に挿入し、エンドピース８０の先端部をベース片１１の位置まで挿入する。そして、手を放すと、ロッドバー８の自重により、ロッドバー８が下がり、係合部８２が凹溝１３に係合し、ロッドバー８がレール１に取り付けられる。
【００３２】
図１８は、化粧板7ｂを省略した状態でレール１の溝部１４にロッドバー８を挿入して取り付けている状態を示している。ロッドバー８を取り付けて、そのロッドバー８に直接商品を展示する場合には、図２０に示すように、化粧板７ｂに横方向に直線状のレール１の溝部１４だけが露出した状態となる。そして、必要な箇所にロッドバー８を取り付けて利用する。
【００３３】
図１９に示すように、陳列棚９を設ける場合には、レール１に一対のロッドバー８を取り付け、その上に陳列棚９を載置する。
【００３４】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【００３５】
１      ：レール
２      ：レールホルダー
３      ：角スタッド材
４      ：エンドプレート
５      ：プレート
６      ：ビス
８      ：ロッドバー
９      ：陳列棚
１１    ：ベース片
１１ａ  ：上端部
１１ｂ  ：下端部
１２ａ  ：支持台座
１２ｂ  ：支持台座
１２ｅ  ：縦壁
１２ｆ  ：縦壁
１４    ：溝部
１５ａ  ：ビス固定溝穴
１５ｂ  ：ビス固定溝穴
１６    ：凹溝
１８    ：凹溝
２１    ：側面側プレート
２１ａ  ：延伸部
２２    ：正面側プレート
２３    ：切り欠き部
２４    ：背面側折り返し部
２５    ：ビス穴
８０    ：エンドピース
８０ｂ  ：軸部
８１    ：ピン部
８２    ：係合部
８３    ：パイプ
８３ａ  ：ビス
８４    ：突出ピン
【図１】
0006397241.tif 000002
【図２】
0006397241.tif 000003
【図３】
0006397241.tif 000004
【図４】
0006397241.tif 000005
【図５】
0006397241.tif 000006
【図６】
0006397241.tif 000007
【図７】
0006397241.tif 000008
【図８】
0006397241.tif 000009
【図９】
0006397241.tif 000010
【図１０】
0006397241.tif 000011
【図１１】
0006397241.tif 000012
【図１２】
0006397241.tif 000013
【図１３】
0006397241.tif 000014
【図１４】
0006397241.tif 000015
【図１５】
0006397241.tif 000016
【図１６】
0006397241.tif 000017
【図１７】
0006397241.tif 000018
【図１８】
0006397241.tif 000019
【図１９】
0006397241.tif 000020
【図２０】
0006397241.tif 000021